(57)【要約】【課題】面状発光モジュールにおいて、光源を導光体に埋め込むことなく、導光体の縁部まで配光する。【解決手段】導光体３０と、光源２０とを備え、導光体３０は板形状を有し、板形状は上面４０と、底面４５と、側面５０とを有し、前記板形状はさらに底面４５と側面５０との間に中段面７０と、中側面８０とを有し、中側面８０は中段面７０よりも底面４５の近くに位置し、かつ前記中側面７０の少なくとも一部は光源２０の発した光の入射する入射面を成し、上面４０の少なくとも一部は入射面より入射した光の出射する出射面を成し、底面４５および中段面７０、及び上面４０からなる群から選ばれる一以上の面の少なくとも一部は偏向面を成し、中段面７０は中側面８０よりも側面５０の近くに位置し、入射面の法線が、出射面の法線と成す角のうち、狭角は導光体３０の空気中の臨界角より大きい、面状発光モジュール。【選択図】図１
2016143570.tif 000002
【特許請求の範囲】
【請求項１】
導光体と、光源とを備え、
前記導光体は板形状を有し、
前記板形状は上面と、底面と、側面とを有し、
前記板形状はさらに前記底面と前記上面との間に中段面と、中側面とを有し、
前記中側面は前記中段面よりも前記底面の近くに位置し、かつ前記中側面の少なくとも一部は前記光源の発した光の入射する入射面を成し、
前記上面の少なくとも一部は前記入射面より入射した前記光の出射する出射面を成し、
前記底面および前記中段面、及び前記上面からなる群から選ばれる一以上の面の少なくとも一部は偏向面を成し、
前記中段面は前記中側面よりも前記側面の近くに位置し、
前記入射面の法線が、前記出射面の法線と成す角のうち、狭角は前記導光体の空気中の臨界角より大きい、
面状発光モジュール。
【請求項２】
前記底面の少なくとも一部および前記中段面の少なくとも一部は偏向面を成し、
前記偏向面は複数の溝を有し、
前記溝の長手方向は、前記入射面と平行である、
請求項１に記載の面状発光モジュール。
【請求項３】
前記入射面の法線方向と平行であり、かつ前記板形状が拡がる基準平面に直交する基準法線の方向と平行である断面において、前記溝の輪郭線がV字形状である、
請求項２に記載の面状発光モジュール。
【請求項４】
前記入射面の法線方向と平行であり、かつ前記板形状が拡がる基準平面に直交する基準法線の方向と平行である断面において、前記溝の輪郭線が、前記基準平面に対して成す角度は、前記溝の中での深さに関わりなく一様か、又は前記溝の中の深い位置にあるほど小さくなる、
請求項２に記載の面状発光モジュール。
【請求項５】
前記溝の表面の少なくとも一部は、前記基準平面に対して少なくとも３５度以上の角度を成す、
請求項４に記載の面状発光モジュール。
【請求項６】
前記溝の表面の少なくとも一部は、前記基準平面に対して少なくとも５０度以上の角度を成す、
請求項４に記載の面状発光モジュール。
【請求項７】
前記溝の表面の少なくとも一部は、前記基準平面に対して少なくとも６０度以上の角度を成す、
請求項４に記載の面状発光モジュール。
【請求項８】
前記中側面を少なくとも２つ備え、
前記板形状を平面視したとき、前記板形状は長方形であり、
一方及び他方の前記中側面は互いに対向し、かつ前記底面を挟むように位置する、
請求項２〜７のいずれか１項に記載の面状発光モジュール。
【請求項９】
前記出射面は互いに平行に延びる複数の凸条を有し、
前記板形状を平面視したとき、前記複数の凸条は前記複数の溝と直交する、
請求項２〜８のいずれか１項に記載の面状発光モジュール。
【請求項１０】
前記板形状は円盤形状であり、
前記底面は円形であり、
前記側面と、前記中側面とは円筒の側面形状であり、
前記中段面は円環形であり、
前記複数の溝は同心円状に配置されている、
請求項２〜７のいずれか１項に記載の面状発光モジュール。
【請求項１１】
前記出射面は円形であり、かつ前記円形の中心から放射状に延びる複数の凸条を有し、
前記複数の凸条は平面視すると前記複数の溝と直交し、
前記複数の凸条の幅及び高さは、前記中心から遠いほど大きい、
請求項１０に記載の面状発光モジュール。
【発明の詳細な説明】
【技術分野】
【０００１】
本発明は面状発光モジュールに関する。
【背景技術】
【０００２】
バックライトによる照明方式を有する面状発光モジュールが知られている。これらのモジュールにおいて、光源の発した光は、導光板に入射した後、反射面で反射する。反射した光は出射面から出射する。
【０００３】
特許文献１，２のモジュールは、陰極管等の線状又は棒状の光源とプリズム部を有する導光板とを備える。光源の発した光は導光板のプリズム部で斜めに反射し出射面に到達する。出射面に到達した光の大部分は全反射することなく、導光板から出射する。
【０００４】
特許文献１，２に記載のモジュールでは、出射面の大きさがプリズムの形状と光源の大きさとにより定められる。その発光面を拡大するには光源とプリズムを多数配列する必要がある。
【０００５】
これに対し、特許文献３，４はＬＥＤを光源とする面状発光モジュールを開示している。かかるモジュールはサイドライト型ＬＥＤと凹部を有する導光板とを備える。かかるＬＥＤは頭頂部側から凹部内に埋め込まれている。凹部の内側面はＬＥＤの全周を囲んでいる。ＬＥＤの発した光は内側面から導光板に入射し、導光板の縁部まで達する。
【０００６】
ＬＥＤはいわゆる点光源である。したがって面状発光を実現するために特許文献３，４は、特許文献１，２とは異なる特徴を必要とする。特許文献３では、光源を底面、すなわち出射面に対向する面上に隈なく分散配置している。特許文献４では、モジュールそのものを、平面上に隈なく配置している。
【０００７】
発明者らは上述の面状発光モジュールの特徴を踏まえ、他の面状発光モジュールの態様について考察した（図１４）。かかる面状発光モジュールはエッジライト型の照明方式を有する。
【０００８】
図１４に示すモジュールでは光源２０が導光体１５の縁に面する。すなわち入射面１６と出射面１７は直交する。したがって概ね入射面１６と直交する入射光は、導光体１５中を反射せずに進行する、又は出射面１７で全反射する。このため光は光源から遠く離れた位置まで配光される。
【０００９】
図１４に示すように、反射面１８は入射面１６と直交し、かつ出射面１７と平行である。反射面１８には偏向部が設けられている。したがって導光板に入射した光は、所定の割合で反射面１８にて偏向されて出射面１７に到達する。このため、光は出射面１７の所望の位置から出射する。これにより出射面１７の輝度をより均一に近づけることが出来る。
【００１０】
図１４に記載の面状発光モジュールは、特許文献１，２に記載のモジュールより広い範囲に光を配向できる。したがって光源を発光面全体にわたって隈なく並べる必要がない。また発光面積を拡大するためにモジュール自体を二次元的に配列する必要がない。このためモジュールの備える光源２０は、先例に比べ少なくて済む。
【００１１】
図１４に示すように、モジュールはサイドライト型の光源を必ずしも要しない。すなわち光源２０は面実装型のＬＥＤであって、頭頂部方向に指向性を有するものであってもよい。したがって、特許文献３，４に比べて、光源の指向性に関する制限が少ない。
【先行技術文献】
【特許文献】
【００１２】
【特許文献１】特開平１１−２８８６１１号公報
【特許文献２】特開２００２−０７５０３６号公報
【特許文献３】特開２００６−２５１０７５号公報
【特許文献４】国際公開第２００９／０４７８９１号公報
【発明の概要】
【発明が解決しようとする課題】
【００１３】
図１４に示すモジュールは部屋全体に光を当てる室内照明装置、いわゆるベースライトとして使用されている。しかしながらモジュールは導光板の縁の周囲に、光源２０を設置するためのフレーム１９を必要とするため、かかるフレーム１９に遮られた部分は発光しない。したがってモジュールを天井に取り付けた場合には、フレーム１９の周囲又は後方に光を当てることができないため、部屋の中の人は部屋を暗く感じる。
【００１４】
本発明は、板形状の導光体と光源とを備える面状発光モジュールにおいて、光源を導光体に埋め込むことなく、導光体の縁部まで配光することを目的とする。本発明は、いわゆるエッジライト型の照明方式の利点を有しつつ、縁部も含めて一様に発光する面状発光モジュールを提供することを目的とする。
【課題を解決するための手段】
【００１５】
本発明は一態様として、
［１］  導光体と、光源とを備え、
前記導光体は板形状を有し、
前記板形状は上面と、底面と、側面とを有し、
前記板形状はさらに前記底面と前記上面との間に中段面と、中側面とを有し、
前記中側面は前記中段面よりも前記底面の近くに位置し、かつ前記中側面の少なくとも一部は前記光源の発した光の入射する入射面を成し、
前記上面の少なくとも一部は前記入射面より入射した前記光の出射する出射面を成し、
前記底面および前記中段面、及び前記上面からなる群から選ばれる一以上の面の少なくとも一部は偏向面を成し、
前記中段面は前記中側面よりも前記側面の近くに位置し、
前記入射面の法線が、前記出射面の法線と成す角のうち、狭角は前記導光体の空気中の臨界角より大きい、
面状発光モジュール；
［２］  前記底面の少なくとも一部および前記中段面の少なくとも一部は偏向面を成し、
前記偏向面は複数の溝を有し、
前記溝の長手方向は、前記入射面と平行である、
［１］に記載の面状発光モジュール。
［３］  前記入射面の法線方向と平行であり、かつ前記板形状が拡がる基準平面に直交する基準法線の方向と平行である断面において、前記溝の輪郭線がV字形状である、
［２］に記載の面状発光モジュール。
［４］  前記入射面の法線方向と平行であり、かつ前記板形状が拡がる基準平面に直交する基準法線の方向と平行である断面において、前記溝の輪郭線が、前記基準平面に対して成す角度は、前記溝の中での深さに関わりなく一様か、又は前記溝の中の深い位置にあるほど小さくなる、
［２］に記載の面状発光モジュール；
［５］  前記溝の表面の少なくとも一部は、前記基準平面に対して少なくとも３５度以上の角度を成す、
［４］に記載の面状発光モジュール;
［６］  前記溝の表面の少なくとも一部は、前記基準平面に対して少なくとも５０度以上の角度を成す、
［４］に記載の面状発光モジュール；
［７］  前記溝の表面の少なくとも一部は、前記基準平面に対して少なくとも６０度以上の角度を成す、
［４］に記載の面状発光モジュール；
［８］  前記中側面を少なくとも２つ備え、
前記板形状を平面視したとき、前記板形状は長方形であり、
一方及び他方の前記切欠き部の前記中側面は互いに対向し、かつ前記底面を挟むように位置する、
［２］〜［７］のいずれか１項に記載の面状発光モジュール；
［９］  前記出射面は互いに平行に延びる複数の凸条を有し、
前記板形状を平面視したとき、前記複数の凸条は前記複数の溝と直交する、
［２］〜［８］のいずれか１項に記載の面状発光モジュール；
［１０］  前記板形状は円盤形状であり、
前記底面は円形であり、
前記側面と、前記中側面とは円筒の側面形状であり、
前記中段面は円環形であり、
前記複数の溝は同心円状に配置されている、
［２］〜［７］のいずれか１項に記載の面状発光モジュール；
［１１］  前記出射面は円形であり、かつ前記円形の中心から放射状に延びる複数の凸条を有し、
前記複数の凸条は平面視すると前記複数の溝と直交し、
前記複数の凸条の幅及び高さは、前記中心から遠いほど大きい、
［１０］に記載の面状発光モジュール；
を提供することで上記目的を達成する。
【発明の効果】
【００１６】
面状発光モジュールにおいて、光源を導光体に埋め込むことなく、導光体の縁部まで配光することができる。
【図面の簡単な説明】
【００１７】
【図１】実施形態にかかる面状発光モジュールの断面図である。
【図２】実施形態にかかる面状発光モジュールの光学的構造を示す断面図である。
【図３】実施形態にかかる角型モジュールの斜視図である。
【図４】図３のＩＶ−ＩＶ’線における断面図である。
【図５】実施形態にかかる角型モジュールの出射面の底面図である。
【図６】実施形態にかかる角型モジュールの出射面の拡大斜視図である。
【図７】実施形態にかかる面状発光モジュールの具体的態様にかかる断面図である。
【図８】実施形態にかかる同心円型モジュールを示す斜視図である。
【図９】実施形態にかかる同心円型モジュールの出射面の斜視図である。
【図１０】実施例１にかかる面状発光モジュールの備えるＶ字溝の断面図である。
【図１１】実施例１にかかる面状発光モジュールの面輝度分布を示す図である。
【図１２】実施例２にかかる面状発光モジュールの備えるＶ字溝の断面図である。
【図１３】実施例２にかかる面状発光モジュールの面輝度分布を示す図である。
【図１４】背景技術にかかる面状発光モジュールの断面図である。
【発明を実施するための形態】
【００１８】
図を参照しつつ本発明の実施形態を説明する。同等の構成要素には同一の符号を付して、重複する説明を省略する。
［面状発光モジュール］
図１は面状発光モジュールの断面を表す。本実施形態において、面状発光モジュールを単にモジュールという場合がある。モジュールは光源２０及び導光体３０を備える。
【００１９】
［導光体］
＜板形状＞
図１に示すように、導光体３０は板形状を有する。本実施形態において板形状の有する各面を表す用語に、上面、底面、側面、中段面、及び中側面が含まれる。各用語は当業者の理解を助けるために呼称されるものである。各用語は、モジュールの設置態様を限定するものではない。
【００２０】
図１に示すように導光体３０は、上面４０と、底面４５と、側面５０とを有する。上面４０は板形状の一方の面の側に位置する。底面４５は板形状の他方の面の側に位置する。上面４０と底面４５とは平行なことが好ましい。
【００２１】
図１に示す側面５０は板形状の導光体３０の有する縁部３５に位置する。側面５０は上面４０と接することが好ましく、直交することがさらに好ましい。側面５０は底面４５に平行な平面と直交することが好ましい。
【００２２】
図１に示す導光体３０は上面４０と底面４５との間に中段面７０と中側面８０とを有する。中段面７０は中側面８０よりも側面５０の近くに位置する。中側面８０は中段面７０よりも底面４５の近くに位置する。そして、中段面７０と中側面８０とによって切欠き部６０が形成されている。
【００２３】
図１に示す中段面７０は、縁部３５を挟んで、上面４０と対向する。中段面７０は上面４０若しくは底面４５又は双方と平行なことが好ましい。中段面７０は底面４５のいかなる部位よりも上面４０に近いことが好ましい。
【００２４】
図１に示す中段面７０は側面５０と接することが好ましく、実質的に直交してもよい。ここで実質的に直交するとは、一例として型抜き成形用のテーパ角を有することが許容されることを表す。
【００２５】
図１に示す中側面８０は側面５０と平行なことが好ましい。中側面８０は底面４５若しくは中段面７０又は双方と接することが好ましく、これらと実質的に直交していてもよい。中側面８０は上面４０に平行な平面と実質的に直交していてもよい。ここで実質的に直交するとは、上記同様である。
【００２６】
＜光学的構造＞
図２は面状発光モジュールの光学的構造を示す断面図である。上面４０、底面４５、側面５０、中段面７０、及び中側面８０は導光体３０と外界との界面である。図２に示す光源２０から出た光は導光体３０により面光源に変換される。以下、光源２０の発する光の進行経路を説明しつつ導光体３０の構造を明らかにする。
【００２７】
図２に示す中側面８０は入射面８１を成す。中側面８０の全体が入射面８１であってもよい。中側面８０はテーパを有してもよい。かかる場合、中側面８０及び入射面８１は上面４０に対して遠い側の空間に面している。
【００２８】
図２に示す光源２０は所定の指向性をもって光２３を発する。かかる光２３は入射面８１に入射する。図中の光２３は導光体３０への入射前の光を表す。光２３は光路２２を有する。光路２２は入射前光路を表す。実質的になお光２３が入射面８１に到達する態様であれば、モジュールにおいて光源２０の位置は特に限定されない。
【００２９】
図２に示す入射後の光２３を光３３として表す。光３３は導光体３０中を進行する。光３３は出射面に到達する。光３３は出射面より出射する。上面４０は出射面として出射上面４１を有する。光３３は出射上面４１より光４３として出射する。上面４０の全体が出射上面４１であってもよい。縁部３５に面する出射上面４１に光３３を配光させる方法は後述する。
【００３０】
図２に示す側面５０も上記出射面として出射側面５１を有することが好ましい。側面５０の全体が出射側面５１であってもよい。入射面８１より入射した光は出射側面５１より出射してもよい。したがって側面５０の少なくとも一部は、遮光性部材と接しないことが好ましい。以下、出射上面４１、出射側面５１又は他の出射面を単に出射面という場合がある。また出射側面５１に光３３を配光させる方法は後述する。
【００３１】
図２に示す底面４５は主偏向面４６を有する。中段面７０は副偏向面７１を有する。主偏向面４６及び副偏向面７１はいずれも偏向手段を有する。偏向手段は一例として、平滑面とは異なる形状又は構造を有する微細パターンであってもよい。本明細書において、主偏向面４６、副偏向面７１又は他の偏向面を単に偏向面という場合がある。
【００３２】
図２に示すように、入射面８１の法線８２は、出射上面４１の法線４２と、所定の角を成す。かかる角のうち、狭角３２は導光体３０の空気中の臨界角より大きい。すなわち光３３のうち、法線８２と平行な光８３は、出射上面４１において全反射する。なお狭角３２の最大値は９０度である。
【００３３】
したがって図２に示すように光２３のうち、入射面８１と直交する光は、出射上面４１で全反射する、又は出射上面４１よりも先に他の面に到達する。このため光２３は光源から遠く離れた位置まで配光される。したがって光源２０を発光面全体にわたって隈なく並べる必要がない。また発光面積を拡大するためにモジュール自体を二次元的に配列する必要がない。
【００３４】
一方、図２に示すように、モジュールは、光８３及び出射上面４１で全反射する他の光３３を出射上面４１より出射させるために、上記偏向面を必要とする。光３３は、所定の割合で偏向面にて偏向される。このため光は出射上面４１に到達する。
【００３５】
図２に示すように偏向された光３３は所定の割合で出射面より出射する。このため、光３３は出射面の所望の位置から出射する。これにより出射面の輝度をより均一に近づけることが出来る。偏向面の態様は特に限定されない。後述する図４に示すように、偏向面は、偏向手段として、Ｖ字溝を有してもよい。
【００３６】
図２に示すモジュールは、一態様において、出射上面４１側に発光の指向性を有する。発光の指向性は、板形状が拡がる平面又は出射上面４１の法線方向に平行なものでもよい。また側面５０より発光してもよい。
【００３７】
［角型モジュール］
図３は、上述の面状発光モジュールの一態様である、角型モジュールを示す斜視図である。図４は図３のＩＶ−ＩＶ’線の断面図である。以下、図３，４を参照しつつ角型モジュールを説明する。角型モジュールを単にモジュールという場合がある。
【００３８】
＜光源＞
図３に示すようにモジュールはエッジライト型の照明方式を有する。かかる照明方式は入光部が底面側の中央部に設けられていること特徴とする。具体的には、モジュールは互いに対向する光源２０，２５を有する。光源２５の特徴は光源２０に準じる。光源２０，２５はそれぞれ点光源である。
【００３９】
図３に示すように光源２０，２５は列を成して線状光源２４，２９を形成している。モジュールは一本又は二本以上の線状光源を有することが好ましい。線状光源２４，２９は平行であることが好ましい。
【００４０】
＜導光体＞
図３に示すようにモジュールは導光体３１を有する。導光体３１は、図１に示す導光体３０に下記の特徴が付加されているものである。導光体３１は切欠き部を２又は３以上備えることが好ましい。導光体３１の板形状を平面視すると実質的な長方形である。長方形は正方形でもよい。
【００４１】
図３に示すように、導光体３１は中段面７５と中側面８５とをさらに有する。前述の通り、中段面７０と中側面８０とによって切欠き部６０が形成されている。また、中段面７５と中側面８５とによって切欠き部６５が形成されている。中段面７５、中側面８５の特徴はそれぞれ中段面７０、中側面８０に準じる。導光体３１はさらに側面５５を有する。側面５５の特徴は側面５０に準じる。
【００４２】
図３に示すように、導光体３１は上面４０及び底面４５の間に端面３９を備える。端面３９は、底面４５との間に入射面が位置しない点で、側面５０，５５とは性質が異なる。なお上面４０は、導光体３１を構成する複数の単一面のうち、最大外形寸法の縁を保有する単一面であることが好ましい。
【００４３】
＜導光体の製造方法＞
図３に示す導光体３１は樹脂を成型して作ることが出来る。成型された樹脂は可視光を所定の透過率で透過することが好ましい。樹脂は有機材料でも無機材料でもよい。有機材料は熱可塑性樹脂、熱硬化性樹脂、光硬化性樹脂でもよい。無機材料はケイ素樹脂でもよい。樹脂はガラスで置き換えてもよい。
【００４４】
上記有機材料の一例としては、（メタ）アクリル系樹脂、（メタ）アクリル−スチレン系共重合樹脂、スチレン系樹脂、芳香族ビニル系樹脂、オレフィン系樹脂、エチレン−酢酸ビニル系共重合樹脂、塩化ビニル系樹脂、ビニルエステル系樹脂、ポリカーボネート樹脂、フッ素樹脂、ウレタン樹脂、シリコーン樹脂、アミド系樹脂、イミド系樹脂、ポリエステル系樹脂、エポキシ樹脂、フェノール系樹脂、尿素樹脂、メラミン樹脂などが挙げられる。
【００４５】
図３に示す導光体３１において、例えば厚肉部の厚みは、薄肉部の厚みの２倍でもよい。各厚みは樹脂の密度、強度、又はモジュールの重さの上限やその他の条件に応じて適宜変更できる。
【００４６】
図３において、導光体３１は側面５０から側面５５に至る方向が長手方向となっている。これに対し、端面３９からこれと反対側の端面に至る方向が長手方向となってもよい。すなわち、図中の導光体３１の奥行き方向及び幅方向の長さの比は特に限定されない。
【００４７】
＜導光体の内部形状＞
図４は、導光体３１を、図３に示すＩＶ−ＩＶ’線で切断したときの断面を模式的に表す。中側面８５は入射面８６を備える。ＩＶ−ＩＶ’断面は入射面８１又は入射面８６の法線と平行である。角型モジュールにおいて入射面８１，８６は平面であることがこのましい。このときＩＶ−ＩＶ’断面は入射面８１，８６と直交することが好ましい。
【００４８】
図４に示すように導光体３１は導光上部３７及び導光底部３８からなる。導光上部３７は、上面４０、側面５０，５５、中段面７０，７５、及び導光底部３８に包囲される。導光上部３７は、導光底部３８を挟んで、底面４５と対向する。一方の側面５０は、導光上部３７を挟んで、他方の側面５５に対向する。導光上部３７は縁部３５，３６を有する。縁部３６の特徴は縁部３５に準ずる。
【００４９】
図４に示すように、導光底部３８は、底面４５、中側面８０，８５、及び導光上部３７に包囲される。導光底部３８は、導光上部３７を挟んで、上面４０に対向する。一方の中側面８０は、導光底部３８を挟んで、他方の中側面８５に対向する。
【００５０】
＜溝を有する偏向面＞
図３に示すように中段面７５は副偏向面７１と同等の副偏向面７６を有する。主偏向面４６は溝群９０を有する。溝群９０は複数の溝からなる。図４に示すように複数の溝は、入射面８１，８６の近くから遠くに向かって順に並ぶ。
【００５１】
図３に示される一例として溝群９０は中側面８０及び中側面８５から等距離に溝９５を有する。一例において溝９５はなくともよい。溝群９０は中側面８０側から、溝９５に向かって順に溝９１，９２を有する。溝群９０は中側面８５側から、溝９５に向かって順に溝９６，９７を有する。
【００５２】
図３に示すように副偏向面７１，７６はそれぞれ溝群１００，１０５を有する。言い換えれば縁部３５，３６は溝群１００，１０５を有する。溝群１００，１０５はそれぞれ複数の溝を有する。図４に示すように複数の溝は、入射面８１，８６の近くから遠くに向かって順に並ぶ。一例として溝群１００，１０５はそれぞれ溝１０１〜１０３，１０６〜１０８を有する。
【００５３】
図３に示す上記各溝は線状光源２４，２９に対し実質的に平行に設けられていることが好ましい。溝は略Ｖ字型の凹条であることが好ましい。略Ｖ字型の溝としては、例えば二段（図１０）又は三段以上（図１２）のＶ字溝であることがより好ましい。これらの作用効果については実施例で詳述する。
【００５４】
図３に示す光源２０，２５が点光源であり、かつ主偏向面４６と平行な平面上で放射角を有する場合、上記各溝は切れ目なく連続することが好ましい。副偏向面７１，７６において同様である。
【００５５】
＜溝の配置＞
図３，５に示すように溝群９０，１００，１０５の有する溝の間隔は、各溝と入射面８１，８６との距離が大きいほど、図に示されるように基本的には狭くなる。これにより、入射面から遠いために到達する光が少なくなる場所でも、より多くの光を偏向し、出射上面４１に向けることが出来る。
【００５６】
また図４に示す各溝群の溝の深さは、各溝と入射面８１，８６との距離が大きいほど、大きくなってもよい。溝の間隔若しくは深さ又は双方を調整することで入射面から遠いために到達する光が少なくなる場所でも、より多くの光を偏向し、出射上面４１に向けることが出来る。
【００５７】
具体的には図３に示す底面４５において、溝群９０の間の間隔は、中側面８０，８５から遠ざかるにつれて、段階的に小さくしてもよい。間隔は例えば２．０ｍｍから１０μｍの範囲で変化させることが出来る。溝の本数は底面の大きさと、溝の深さと、溝間の間隔とに応じて決定できる。中段面７０，７５において溝の構成は同様とできる。
【００５８】
図４に示す溝群９０，１００，１０５において、各溝の深さは、任意に決定することが出来る。一例として中側面８０，８５から遠ざかるにつれて、２〜１００μｍの範囲で段階的に大きくすることができる。
【００５９】
＜溝による配光＞
図４に示すように導光底部３８内を入射面８１，８６から進行する光の一部は溝群９０の各溝に到達後、偏向する（光９３，９８）。偏光した光は導光底部３８内を進行し、導光上部３７に到達する。上述の通り各溝はＩＶ−ＩＶ’断面においてＶ字型である。
【００６０】
図４に示す導光体３１において、偏向することなく入射面８１，８６から導光上部３７に到達する光があってもよい。また各溝で偏向することなく底面４５で反射して導光上部３７に到達する光があってもよい。
【００６１】
図４に示す光９３，９８のように、導光上部３７内を進行する光は出射上面４１に到達する。光の一部は、光９３のように出射上面４１より出射してもよい。光の一部は、光９８のように上面４０又は出射上面４１で反射してもよい。反射した光は導光上部３７内を中段面７０，７５又は側面５０，５５に向かって進行する。
【００６２】
図４は上記の光の一例として光９８を示す。光９８は入射面８１から主偏向面４６に進行した後、溝間の平面部あるいは溝群９０のいずれかの溝で偏向する。光９８は主偏向面４６から出射上面４１に進行した後、出射上面４１で全反射する。
【００６３】
さらに図４に示す光９８は出射上面４１から副偏向面７６に進行した後、溝群１０５のいずれかの溝で偏向する。光９８は副偏向面７６から出射上面４１に進行した後、出射上面４１より出射する。したがって光９８は縁部３６より出射する。同様に入射面８６から入射した光が縁部３５より出射してもよい。
【００６４】
図４に示す縁部３５，３６はそれぞれ入射面８１，８６より入射した光を出光しにくい領域である。なぜなら入射後の光の入射方向が、縁部３５，３６より遠ざかる方向だからである。しかしながら、入射面８１，８６を対向配置することで、それぞれの近傍の縁部３５，３６に互いに光を融通することができる。
【００６５】
また図４に示す主偏向面４６及び副偏向面７１，７６により、出射光は拡散する。すなわちモジュールの出光特性は上面４０の法線と平行な出光方向９９に限定されない。出光特性は側面５０側に向かう出光方向１０４にも所定の光量を有するものである。同様に出光特性は側面５５側に向かう出光方向１０９にも所定の光量を有するものである。
【００６６】
図４は入射面８６から進行する光の一例として光８８を示す。光８８は上記各溝に到達することなく進行する。光８８は底面４５、上面４０又は中段面７０で全反射してもよい。光８８は側面５０に到達した後、出光方向５３に沿って出射側面５１より出射してもよい。
【００６７】
一方、図４に示す側面５５は出射側面５１と同様の出射側面５６を備えてもよい。このため、入射面８６から入射した光が出光方向５８に沿って出射してもよい。この場合、モジュールは底面４５、中段面７０，７５の側を除いて全面発光することができる。
【００６８】
＜出射面＞
図５は角型モジュールの出射面の模式図である。出射上面４１は微細パターンを有する偏向部１１０を備える。一例において偏向部１１０は互いに平行に延びる複数の凸条１１５を有する。導光体３０を平面視すると、凸条１１５は溝群９０，１００，１０５の各溝と直交する。
【００６９】
図５に示す凸条１１５同士の間隔は一例として０．０５〜２．０ｍｍとすることができる。間隔は５０〜３００μｍであることが好ましい。
【００７０】
図６は角型モジュールの出射面の詳細図である。凸条１１５は凸面１１６を有する。凸面１１６は凸条１１５と直交する断面１１３において所定の湾曲形状を有する。湾曲形状は実質的な半円、円弧、楕円の円弧、放物線の一部でもよい。
【００７１】
図６に示す凸条１１５はレンチ形状の断面１１３を有するレンチ条でもよい。レンチ形状の高さは０μｍより大きくかつ５００μｍ以下とすることができる。高さは１０〜５０μｍであることが好ましい。凸条１１５の長手方向において、高さは場所によって変わってもよい。
【００７２】
図６に示す断面１１３は所定のアスペクト比を有することが好ましい。アスペクト比は３０％以下であることが好ましい。このアスペクト比は、レンチ条の垂直断面である断面１１３をトレースする円の半径をＲとし、レンチ条を形成する円弧の頂点がら弦までの距離をrとすると、（r／２Ｒ）×１００（％）で定義される。断面１１３において、凸面１１６は所定の角度１１２で上面４０と交わることが好ましい。角度１１２は一例として０以上、８５度以下とすることが出来る。
【００７３】
図５に示す偏向部１１０により、出射光は拡散する。すなわちモジュールの出光特性は図６に示す平面１１４に平行な出光方向１１９に限定されない。ここで平面１１４は入射面８１又は入射面８６の法線、及び上面４０の法線に平行な仮想平面である。
【００７４】
一例において図６に示す平面１１４は図３に示すＩＶ−ＩＶ’線における断面に平行である。出光特性は平面１１４の一方側に向かう出光方向１１７及び他方側に向かう出光方向１１８にも所定の光量を有するものである。
【００７５】
モジュールにおいて、図４に示す主偏向面４６及び副偏向面７１，７６並びに図５に示す偏向部１１０の組み合わせることができる。かかる組み合わせはモジュールに対し、モジュールを中心とする全周方向の出光特性を与える。またモジュールがかかる構造を持たない場合に比べ、モジュールの表面の面輝度がより均一に近くなる。
【００７６】
［他の構成要素］
＜反射部材＞
図７は面状発光モジュールの具体的態様にかかる断面図である。図に示すようにモジュールはシート状の主反射板１２０及び副反射板１４０，１４５を備える。
【００７７】
図７に示す主反射板１２０は、反射面１２１及びこれと反対側の裏面１２２を備える。反射面１２１は底面４５に面している。反射面１２１は主偏向面４６（図３，４）に面することが好ましい。反射面１２１は主偏向面４６に接してもよい。
【００７８】
図７に示す副反射板１４０，１４５は、それぞれ反射面１４１，１４６及びこれと反対側の裏面１４２，１４７を備える。反射面１４１，１４６はそれぞれ中段面７０，７５に面している。反射面１４１，１４６はそれぞれ副偏向面７１，７６（図３，４）に面することが好ましい。反射面１４１，１４６はそれぞれ副偏向面７１，７６に接してもよい。
【００７９】
＜反射部材と入射前光路＞
図７に示す光路２７は光路２２と同等の特徴を有する。光路２２，２７は反射面１２１と、裏面１４２，１４７との間に位置することが好ましい。光路２２，２７を通る光の一部はそれぞれ入射面８１，８６に直交することが好ましい。
【００８０】
＜入射前光路と光源の構成＞
図７に示す光源２０，２５はそれぞれ発光モジュールであることが好ましい。かかる発光モジュールはそれぞれ発光素子１５０，１５５と基板１５１，１５６とを有することが好ましい。
【００８１】
図７に示す基板１５１，１５６は実装面１５２，１５７を有することが好ましい。発光素子１５０，１５５は実装面１５２，１５７側に位置することが好ましい。光源２０，２５は実装面１５２，１５７側に配光の指向性を有することが好ましい。
【００８２】
図７に示す光源２０，２５はさらに実装面１５２，１５７の法線方向に配光の指向性を有することが好ましい。光源２０，２５はランバート配光性であることがより好ましい。光源２０，２５は必ずしもサイドエッジ型の配光性を有する必要がない。
【００８３】
＜光源の指向性と光源位置＞
かかる指向性を有する光源２０，２５において、図７に示す実装面１５２，１５７は入射面８１，８６（図４）と対向することが好ましい。実装面１５２，１５７は入射面８１，８６に対して実質的に平行であることがさらに好ましい。すなわち光源２０，２５の一部又は全部は切欠き部６０，６５内にあることが好ましい。
【００８４】
＜光源ＬＥＤ＞
図７に示す発光素子１５０，１５５はＬＥＤであることが好ましい。すなわち、上記発光モジュールはＬＥＤモジュールであることが好ましい。ＬＥＤモジュールからなる光源２０，２５は、実装面１５２，１５７の反対側に背面１５３，１５８を有する。
【００８５】
＜放熱部材＞
図７に示すモジュールは放熱部材６４を有する。光源２０，２５の背面１５３，１５８は放熱部材６４と接することが好ましい。放熱部材６４は一例として金属プレートである。かかる放熱部材６４はネジ６１，６６で副反射板１４０，１４５又は導光体３１に固定することもできる。このため、放熱部材６４は導光体３１に強度を付与することが出来る
【００８６】
＜拡散部材＞
図７に示すモジュールは拡散板１３０を備える。拡散板１３０は、出射上面４１（図４）を備える上面４０側に配置されている。拡散板１３０は上面４０を覆う。拡散板１３０はさらに側面５０，５５もカバーしてもよい。
【００８７】
図７に示す拡散板１３０は内表面１３５を有する。内表面１３５は上面４０と対向する。内表面１３５はさらに側面５０，５５と対向してもよい。内表面１３５、及びこれと反対側の外表面１３６は鏡面又はシボ面とすることができる。
【００８８】
図７に示すモジュールにおいて、面輝度が均一になるように、局所的に厚みを調整するリブ１３１，１３２を設けてもよい。リブ１３１，１３２はそれぞれ上面４０を挟んで中側面８０，８５と対向する位置に設けてもよい。内表面１３５の一部を盛り上げてリブ１３１，１３２としてもよい。
【００８９】
上述の通り図７に示す導光体３１には拡散機能が備わっている。このため、導光体３１を備えないモジュールの拡散部材に比べ、拡散板１３０の拡散性は低いものでもよい。このためかかるモジュールに比べ本実施形態のモジュールでは、拡散板１３０として光の損失が少ない拡散部材を選択できる。
【００９０】
図７に示すモジュールはさらにケーブル１２５、カバー６８を有する。ケーブル１２５は光源２０，２５に導通接続する。カバー６８は導通接続された部分を含めモジュールの底面側、すなわち拡散板１３０と反対側を覆う。
【００９１】
［同心円型モジュール］
図８は同心円型モジュールを示す斜視図である。図１に示すモジュールは本図に示すように同心円型モジュールとすることが出来る。同心円型モジュールについて、上述の角型モジュールと異なる特徴を中心に説明する。以下、同心円型モジュールを単にモジュールという場合がある。
【００９２】
図８に示すモジュールは板形状の導光体１６０を備える。板形状は円盤形状である。導光体１６０の底面４５は円形である。側面５０と、中側面８０とは円筒形の側面形状を成す。中段面７０は所定の太さを有する円環形である。底面４５及び中段面７０の裏側に円形の上面４０が位置する。
【００９３】
図８に示す光源２０は一例において中側面８０と対向する。光源２０は中側面８０の周囲を、等間隔で取り囲むことが好ましい。光源２０は奇数でも偶数でもよい。光源２０が偶数であれば光源２０は底面４５を挟んで他の光源２０と対向してもよい。光源２０が奇数であれば光源２０は底面４５を挟んで他の光源２０と対向しなくともよい。
【００９４】
図２と同様、図８に示す中側面８０は入射面８１を備える。底面４５は主偏向面４６を備える。中段面７０は副偏向面７１を備える。上面４０は出射上面４１を備える。主偏向面４６、副偏向面７１はそれぞれ溝群１６２，１６３を備える。
【００９５】
図８に示す溝群１６２，１６３はそれぞれ複数の溝を備える。溝群１６２，１６３それぞれにおいて各溝は同心円状に配置されている。溝群１６２及び溝群１６３にわたって各溝が同心円状に配置されていることが好ましい。各溝は略Ｖ字条の凹条であることが好ましい。凹条の形状は溝群９０，１００，１０５の各溝に準ずる。
【００９６】
図９は図８に表した導光体１６０を底面視した時の、出射上面４１を示す模式図である。出射上面４１は円形であることが好ましい。出射上面４１は偏向部を備える。偏光部はレンチ条１６５を有する。レンチ条１６５は、導光体１６０から見て上面４０側に凸形である。
【００９７】
図９に示すように出射上面４１はレンチ条１６５を複数有する。レンチ条１６５は凸面１６６を複数有する。レンチ条１６５は円形の中心１６７から放射状に延びる。このため平面視において、各レンチ条１６５の長手方向は溝群１６２，１６３の各溝と直交する。
【００９８】
図９に示すようにレンチ条１６５の幅及び高さは中心１６７から遠いほど大きい。幅及び高さは中心１６７から離れて出射上面４１の外縁に近づくほど、線形的に、又は直線的に大きくなることが好ましい。
【００９９】
図９に示す出射上面４１の一例として、レンチ条１６５の高さは０μｍから５００μｍまで変化させることが出来る。一例としてレンチ条１６５間の間隔は５０μｍから２．５ｍｍまで変化させることが出来る。
【０１００】
＜生産方法＞
図１や他の図に示すモジュールの生産方法は特に限定されない。導光体の生産方法は上述の通りである。モジュールの備える導光体及び光源並びに他の部材は適宜組み付けることができる。またモジュールはこれらを集合したキットとして製品化することも出来る。
【０１０１】
［設置］
図１及び他の図面に示すモジュールの上面４０は底面４５よりも鉛直方向の上側にあってもよく、下側にあってもよい。一例において本実施形態の図面におけるモジュールの上下方向は、設置個所における鉛直方向により限定を受けない。また一例においてモジュールの設置の方向は図面におけるモジュールの上下方向により限定を受けない。
【０１０２】
すなわち上記モジュールは天井に設置され、かつ床面に対して発光の指向性を有してもよい。モジュールは垂直な壁に設置されて、壁面と直交する方向に指向性を有していてもよい。モジュールは床面に設置されてもよい。モジュールは屋内又は屋外に設置できる。
【０１０３】
［実施形態の変形］
なお、本発明は上記実施形態に限られたものではなく、趣旨を逸脱しない範囲で適宜変更することが可能である。例えば上述のモジュールは屋内又は屋外の照明装置でもよく、あるいはバックライト装置でもよい。
【０１０４】
＜板形状＞
図１や他の図面に示す導光体の板形状は、上記実施形態の奏する効果を損なわない程度に丸みを帯びていてもよい。または板形状は、切欠き部及び底面の成す形状以外の、曲面、凸面又は凹面を有していてもよい。
【０１０５】
＜光源の配置＞
図３において、光源２０と光源２５は互いに真正面に対向していなくともよい。すなわち光源２０，２５は互いに向き合うものの、奥行き方向に互い違いに配置されていてもよい。また、線状光源２４、２９において、光源２０、光源２５が、すべて同一の光源である必要はなく、１例として、色温度が異なる２種類のＬＥＤを相互に配置して、線状光源としてもよい。線状光源２４，２９は陰極管等の線状又は棒状の光源でもよい。
【０１０６】
＜入射面の配置＞
図２において、導光体３０は、側面５０又は中側面８０と対向する面を図中の右側に有していてもよい。かかる面は反射面であることが好ましい。光３３は反射面で反射し側面５０側に向かってもよい。光３３は縁部３５に到達してもよい。縁部３５に到達した光３３は出射上面４１、出射側面５１より出射してもよい。
【０１０７】
＜偏向手段＞
図３や他の図面において、偏向手段は上述のＶ字溝（図４）ではないものでもよい。偏向面の形状又は構造は凸条、凹条、又は他の溝でもよい。上記形状又は構造は凹面、凸面、曲面（スプライン）、又は平面を有してよい。
【０１０８】
図３や他の図面において、偏向面は印刷又はレーザーによるドット形状の集合、微細なプリズム形状、マット面、サンドブラスト面でもよい。サンドブラスト面は予め導光体をマスクしてから形成してもよい。
【０１０９】
図３や他の図面において、偏向手段は、偏向面近傍の導光体内に埋め込まれた、又は形成されたプリズムでもよい。偏向手段は、偏向面近傍の導光体内に埋め込まれた、プリズム形状の空隙もよい。プリズム又は空隙の断面は台形、三角形、又は多角形でもよい。プリズム、又は空隙を有する部位を偏向部と解釈してもよい。このとき偏向面はかかる偏向部近傍の面として解釈してもよい。導光体が偏光部を備える場合、偏光面は平滑でもよい。
【０１１０】
上記の変形は図５，８に示す出射面の偏向部においても用いることが出来る。すなわちモジュールは図５，６，９に示す凸条又はレンチ条に代えて上記の変更手段を備えてもよい。
【０１１１】
＜出射側面の偏向部＞
図４に示す出射側面５１，５６は偏向部１１０と同様の偏向部を備えてもよい。このとき図４に示す出光方向５３，５８は、図６に示す平面１１４の一方側に向かう出光方向１１７及び他方側に向かう出光方向１１８と同等のものであってもよい。
【０１１２】
＜環形モジュール＞
図８に示す円盤型モジュールは、同心円の代わりに相似な多角形で構成された環形モジュールでもよい。多角形は四角形でもよい。四角形は実質的に正方形でもよい。
【０１１３】
四角形の一例として、図３に示す角型モジュールの端面３９の側及びこれの反対側に切欠き部６０，６５と同様の切欠き部を設けてもよい。例えば正方形の導光上部３７に、これより小さい正方形の導光底部３８が重なった形状でもよい（図４）。
【実施例１】
【０１１４】
［構成］
角型モジュールを上記実施形態（図３−図７）に則って作製した。図３に示すように線状光源２４，２９及び導光体３１を備える角型モジュールとした。導光体３１は図４に示したＩＶ−ＩＶ’断面と同様であった。導光体３１の幅は、側面５０，５５間で３００ｍｍとした。導光体３１はアクリル樹脂を成型したものである。
【０１１５】
図４に示すようにモジュール中央部では導光上部３７と、これと一体に成形された導光底部３８とが重なっていた。モジュール中央部は肉厚部であった。モジュール周縁部（縁部３５，３６）が薄肉部であった。薄肉部の厚みを３ｍｍ、中央部の厚みを６ｍｍとした。
【０１１６】
図４に示すような主偏向面４６の有する溝は、図１０に示すＶ字溝１９０の断面形状の二段構成となっている。Ｖ字溝１９０の性質は、図３に示す溝９１，９２，９５〜９７に準じる。Ｖ字溝１９０は最深部に頂点２１０を有する。Ｖ字溝１９０の深さ、すなわち頂点２１０から主偏向面４６までの距離は６μｍである。
【０１１７】
図１０に示すＶ字溝１９０は頂点２１０に近い側から順に上段部２０６及び下段部２０７を備える。上段部２０６は傾斜面２１１，２１６を有するものとした。下段部２０７は傾斜面２１２，２１７を有する。傾斜面２１１，２１２は入射面８１と対向する。傾斜面２１６，２１７は入射面８６と対向する。
【０１１８】
図１０に示す基準法線２００は、図２に示す出射上面４１の法線４２と平行である、又は同一である。基準平面２０１，２０２は基準法線２００と直交する。
【０１１９】
図１０に示す傾斜面２１１，２１６はそれぞれ基準平面２０１と交わる。傾斜面２１１，２１６がそれぞれ基準平面２０１と成す角２２１，２２６はともに４０度である。すなわち傾斜面２１１及び傾斜面２１６のなす頂角は１００°である。
【０１２０】
図１０に示す傾斜面２１２，２１７はそれぞれ基準平面２０２と交わる。傾斜面２１２，２１７がそれぞれ基準平面２０２と成す角２２２，２２７はともに５５度である。すなわち傾斜面２１２及び傾斜面２１７のなす頂角は７０°である。
【０１２１】
図１０に示す断面は図４に示すＩＶ−ＩＶ’断面と平行であった。基準法線２００は、かかる断面と平行であった、又はかかる断面上にあった。かかる断面において傾斜面２１１，２１６はそれぞれ斜辺長１９１，１９６を有する。傾斜面２１２，２１７はそれぞれ斜辺長１９２，１９７を有する。
【０１２２】
斜辺長１９２，１９７はそれぞれ斜辺長１９１，１９６より大きい。本実施例では、かかる断面において、頂点を通る基準法線２００を中心にして、傾斜面２１１，２１２はそれぞれ傾斜面２１６，２１７と対称であった。斜辺長１９２と斜辺長１９１との比は６５：３５であり、斜辺長１９６，１９７においても同様であった。
【０１２３】
図４に示す副偏向面７１，７６においてもＶ字溝１９０と同様のＶ字溝を作製した。
【０１２４】
図３に示す各溝の間隔は、主偏向面４６では、入射面８１，８６側で最も広く、中側面８０及び中側面８５から等距離にある溝９５において、図に示すように狭い分布となり、１．０３５ミリから０．１８３ミリの範囲で変化している。また、副偏向面７１では、中側面８０側が最も広く、側面５１に向かうに従って上記同様に狭くなり０．４９２ミリから０．０４７ミリまで変化している。副偏向面７６では、中側面８５側が最も広く、側面５６に向かうに従って上記同様に狭くなり、溝間隔は０．４９２ミリから０．０４７ミリまで変化している。
【０１２５】
図６に示すレンチ条の断面１１３のアスペクト比は一例として２０％とした。
【０１２６】
［性能評価］
図１１は導光体を斜め視したときの面輝度の均一性を測定した結果を示す。上段は出射上面４１の輝度を測定した結果を示す。下段は図３の端面３９と対向する端面との中間面上の輝度をグラフ化したものを示す。縦軸は輝度（ａ．ｕ．）を示す。横軸は一方の側面５０（図３）からの距離Ｙ（ｍｍ）を表す。
【０１２７】
図１１の下段に示すように、Ｙ＝８０，２２０（ｍｍ）に入射面８１，８６（図４）が設けられている。Ｙ＝１５０（ｍｍ）は、側面５０，５５（図３）、又は入射面８１，８６からそれぞれ等距離にある位置である。
【０１２８】
図１１に示す斜め視では図４に示す出光方向１０９の先の方向からモジュールを観測した。斜め視は図４に示す上面４０の法線に対して斜め２０°の方向から行った。面輝度分布の測定に際して、出射上面４１の上に拡散板（株式会社クラレ製コモグラスＣＲ３：全光線透過率７７％、ヘーズ９９％）を設けた。
【０１２９】
図１１の一点鎖線に示すようにモジュールの面輝度は一定の水準で均一化された。さらに、面輝度を均一化するために、出射上面４１の上の拡散板を帝人化成株式会社製パンライトシートＰＣ９３９１（全光線透過率５６％、ヘーズ９９％）に変更したところ、図１１のＹ＝９０，２１０近傍の輝度の凹凸が均一になった。
【０１３０】
［考察］
本実施例において図１０に示す断面は入射面８１，８６の法線８２又は法線８７と平行である。または法線８２，８７はかかる断面上にある。断面はさらに出射上面４１と直交する基準法線２００と平行である。または基準法線２００はかかる断面上にある。
【０１３１】
なお図１０に示す基準法線２００は導光体３１（図３）の板形状が拡がる平面と直交するものでもよいと考えられる。また基準法線２００は主偏向面４６又は副偏向面７１，７６と直交するものでもよいと考えられる。
【０１３２】
図１０に示す断面において、角２２１，２２６は角２２２，２２７よりも小さい。また角２２１，２２６は角２２２，２２７よりも頂点２１０に近い位置にある。すなわちＶ字溝１９０の表面は、Ｖ字溝１９０の中の深い位置にあるほど、基準法線２００と直交する基準平面２０１又は基準平面２０２に対する角度が小さくなることが好ましいと考えられる。
【０１３３】
図１０に示す、Ｖ字溝１９０の表面の少なくとも一部は、基準平面２０１又は基準平面２０２に対して成す角度は４０度以上であることが好ましい。好ましい角度の例として角２２１，２２６が挙げられる。
【０１３４】
図１０に示す、Ｖ字溝１９０の表面の少なくとも一部は、基準平面２０１又は基準平面２０２に対して成す角度が４０度より大きいことが好ましく、５５度以上であることがさらに好ましい。好ましい角度の例として本実施例の角２２２，２２７が挙げられる。
【実施例２】
【０１３５】
［構成］
実施例２のモジュールが実施例１のモジュールと異なる点はＶ字溝の形状である。図１２は面状発光モジュールの備えるＶ字溝１９５の断面図である。以下、Ｖ字溝１９５とＶ字溝１９０の相違点を中心に説明する。
【０１３６】
図１２に示すように、主偏向面４６の有するＶ字溝１９５の形状を三段構成のものとした。なお図１２と図１０の縮尺は必ずしも同一ではない。Ｖ字溝１９５の深さは１０μｍである。
【０１３７】
図１２に示すＶ字溝１９５は上段部２０６及び下段部２０７の間に中段部２０８を備える。中段部２０８は傾斜面２１３，２１８を有する。傾斜面２１３，２１８はそれぞれ不図示の入射面８１，８６と対向する。基準平面２０３は基準法線２００と直交する。
【０１３８】
図１２に示す傾斜面２１３，２１８はそれぞれ基準平面２０３と交わる。傾斜面２１３，２１８がそれぞれ基準平面２０３と成す角２２３，２２８はともに５５度である。すなわち傾斜面２１３及び傾斜面２１８のなす頂角は７０°である。
【０１３９】
図１２に示す傾斜面２１２，２１７がそれぞれ基準平面２０２と成す角２２２，２２７はともに６５度である。すなわち傾斜面２１２及び傾斜面２１７のなす頂角は５０°である。本実施例では、かかる断面において、頂点を通る基準法線２００を中心にして、傾斜面２１３は傾斜面２１８と対称であった。
【０１４０】
図１２に示す基準法線２００及び法線８２又は法線８７と平行な断面において、傾斜面２１３，２１８はそれぞれ斜辺長１９３，１９８を有する。斜辺長１９３，１９８はそれぞれ斜辺長１９１，１９６より大きく、斜辺長１９２，１９７より小さい。図１２に示す斜辺長１９２，１９３，１９１の比は５０：３２：１８であり、斜辺長１９７，１９８，１９６においても同様であった。
【０１４１】
このＶ字溝１９５を、図４に示す主偏向面４６と副偏向面７１，７６に作製した。
【０１４２】
図３に示す各溝の間隔は、主偏向面４６では、入射面側で最も広く、中側面８０及び中側面８５から等距離にある溝９５において、図に示すように狭い分布となり、１．１２４ミリから０．２６６ミリの範囲で変化している。また、副偏向面７１では、中側面８０側が最も広く、側面５１に向かうに従って狭くなり、０．１７８ミリから０．０６３ミリまで変化している。副偏向面７６は、中側面８５側が最も広く、側面５６に向かうに従って狭くなり、溝間隔は０．１７８ミリから０．０６３ミリまで変化している。
【０１４３】
図６に示すレンチ条の断面１１３のアスペクト比は一例として２０％とした。
【０１４４】
［性能評価］
図１３は図１１と同様に面輝度測定した結果を表す図である。図１３に示すように、導光体を斜め視したときの面輝度の均一性を測定した。図１３に示すように、本実施例のモジュールの面輝度は実施例１よりも高い水準で均一化された。
【０１４５】
［考察］
図１２に示す、Ｖ字溝１９５の表面の少なくとも一部は、基準平面２０１、基準平面２０２又は基準平面２０３に対して成す角度が６５度以上であることが好ましい。好ましい角度の例として本実施例の角２２２，２２７の角度が挙げられる。
【０１４６】
実施例１においては、より斜め視における輝度の均一化を図るために、拡散性の高い拡散板を使用する必要があった。これに対し、実施例２においては、図１２のように基準平面２０２に対して成す角度が６５°となる傾斜面２１２、２１７を設けることによって、この傾斜面２１２、２１７を透過した光が、底面４５側に配置されている主反射板１２０（図７を参照）で拡散反射され、再度、同一パターンの傾斜面２１２，２１７から入射して、出射上面４１から出射するとき、図１１のＹ＝１００，２００の座標に見られる輝度の凹凸を解消することができるため、図１３のように導光体を斜め視したときの面輝度の均一性を向上させることができる。
【０１４７】
また、図１３に示すように、Ｙ＝８０、２２０にて輝度ピークがあるが、これは当該拡散板に対して、Ｙ＝８０、２２０の位置に相当する場所にリブを取り付ければ、局所的に透過率を下げて輝度の均一化を図ることができ、斜め視においても輝度を均一にすることが可能となる。
【０１４８】
なお、本発明は上記実施例に限られたものではなく、趣旨を逸脱しない範囲で適宜変更することが可能である。例えば上記溝の特徴を円盤型モジュールや環形モジュールに適用してもよい。
【符号の説明】
【０１４９】
１５  導光板                            １６  入射面
１７  出射面                            １８  反射面
１９  フレーム                          ２０  光源
２２  光路                              ２３  光
２４  線状光源                          ２５  光源
２７  光路                              ２９  線状光源
３０，３１  導光体                      ３２  狭角
３３  光                                ３５，３６  縁部
３７  導光上部                          ３８  導光底部
３９  端面                              ４０  上面
４１  出射上面                          ４２  法線
４３  光                                ４５  底面
４６  主偏向面                          ５０  側面
５１  出射側面                          ５３  出光方向
５５  側面                              ５６  出射側面
５８  出光方向                          ６０  切欠き部
６１  ネジ                              ６４  放熱部材
６５  切欠き部                          ６６  ネジ
６８  カバー                            ７０  中段面
７１  副偏向面                          ７５  中段面
７６  副偏向面                          ８０  中側面
８１  入射面                            ８２  法線
８３  光                                ８５  中側面
８６  入射面                            ８７  法線
８８  光                                ９０  溝群
９１，９２  溝                          ９３  光
９５〜９７  溝                          ９８  光
９９  出光方向                          １００  溝群
１０１〜１０３  溝                      １０４  出光方向
１０５  溝群                            １０６〜１０８  溝
１０９  出光方向                        １１０  偏向部
１１２  角度                            １１３  断面
１１４  平面                            １１５  凸条
１１６  凸面                            １１７〜１１９  出光方向
１２０  主反射板                        １２１  反射面
１２２  裏面                            １２５  ケーブル
１３０  拡散板                          １３１，１３２  リブ
１３５  内表面                          １３６  外表面
１４０  副反射板                        １４１  反射面
１４２  裏面                            １４５  副反射板
１４６  反射面                          １４７  裏面
１５０  発光素子                        １５１  基板
１５２  実装面                          １５３  背面
１５５  発光素子                        １５６  基板
１５７  実装面                          １５８  背面
１６０  導光体                          １６２，１６３  溝群
１６５  レンチ条                        １６６  凸面
１６７  中心                            １９０  Ｖ字溝
１９１〜１９３  斜辺長                  １９５  Ｖ字溝
１９６〜１９８  斜辺長                  ２００  基準法線
２０１〜２０３  基準平面                ２０６  上段部
２０７  下段部                          ２０８  中段部
２１０  頂点                            ２１１〜２１３  傾斜面
２１６〜２１８  傾斜面                  ２２１〜２２３，２２６〜２２８  角
【図１】
2016143570.tif 000003
【図２】
2016143570.tif 000004
【図３】
2016143570.tif 000005
【図４】
2016143570.tif 000006
【図５】
2016143570.tif 000007
【図６】
2016143570.tif 000008
【図７】
2016143570.tif 000009
【図８】
2016143570.tif 000010
【図９】
2016143570.tif 000011
【図１０】
2016143570.tif 000012
【図１１】
2016143570.tif 000013
【図１２】
2016143570.tif 000014
【図１３】
2016143570.tif 000015
【図１４】
2016143570.tif 000016